(57)【要約】【課題】一のカメラで撮影された送信側話者の「顔の映像」と他のカメラで撮影された該話者の前方視野の「景色の映像」との双方を受信側に送る機能を備えた移動機を用いてテレビ電話を行なうに際し、送信側の話者には認識されないようにしつつ、受信側で、所望の態様での再生映像の表示を行なえるようにする。【解決手段】送信側の移動機から一のカメラ（１１１）で撮影された送信側話者の「顔の映像」と他のカメラ（１１２）で撮影された該話者の前方視野の「景色の映像」との双方の多重化映像信号を受けた受信側の移動機１３０では、２つの映像を分離して（１３２）、専ら受信側話者の所望に応じて送信側の話者には認識されないように表示態様を選択的に設定可能な映像表示態様設定部（１３５）での設定に応じた態様で映像表示部（１３４）に双方の映像を表示する。【選択図】      図１
2009044510.tif 000002
【特許請求の範囲】
【請求項１】
話者を撮像視野に含み得るように配設された一の撮像手段によって取得される一の映像信号と、前記一の撮像手段とは撮像視野を異にするように配設された他の撮像手段によって取得される他の映像信号とを、所定の信号多重化処理部によって分離可能な形に多重化して多重化映像信号を得るように構成された送信側の移動機から、通信網を介して供給される該多重化映像信号を受信するように構成された移動機であって、
前記通信網から該多重化映像信号を受信する多重化映像信号受信部と、前記多重化映像信号受信部で受信した多重化映像信号を前記一の映像信号と前記他の映像信号とに分離する信号分離部と、前記信号分離部で分離された前記一の映像信号と前記他の映像信号とに基づく各映像を表示する映像表示部と、前記一の映像信号と前記他の映像信号とに基づく各再生映像の前記映像表示部における表示態様を前記送信側の移動機における表示に影響を与えずに操作する映像表示操作部と、を備えていることを特徴とする移動機。
【請求項２】
前記映像表示操作部は、前記映像表示部における前記一の映像信号と前記他の映像信号とに基づく各再生映像の表示領域のパターンを選択操作するように構成されていることを特徴とする請求項１に記載の移動機。
【請求項３】
前記信号分離部は、前記送信側の移動機を扱う話者の顔を撮像視野に含むようにして前記一の撮像手段によって取得される一の映像信号と、前記話者の前方視野を撮像視野として前記他の撮像手段によって取得される他の映像信号とを、前記信号多重化処理部によって分離可能な形に多重化して生成された多重化映像信号を自機の前記多重化映像信号受信部が受信したときには、該受信した多重化映像信号を前記一の映像信号と前記他の映像信号とに分離するように構成され、
前記映像表示操作部は、前記一の映像信号に基づく前記話者の顔に係る再生映像と前記他の映像信号に基づく前記話者の前方視野に係る再生映像との前記映像表示部における表示態様を操作するように構成されていることを特徴とする請求項１ないし２の何れか一項に記載の移動機。
【請求項４】
話者を撮像視野に含み得るように配設された一の撮像手段と、前記一の撮像手段とは撮像視野を異にするように配設された他の撮像手段と、前記一の撮像手段によって取得される一の映像信号と前記他の撮像手段によって取得される他の映像信号とを所定の映像合成制御信号によって規定される態様で合成処理して合成映像信号を得る映像合成部と、他機から通信網を介して供給される映像合成態様指定信号に基づいて前記映像合成制御信号を生成して前記映像合成部に供給する映像合成態様選択部と、を備えていることを特徴とする移動機。
【請求項５】
話者を撮像視野に含み得るように配設された一の撮像手段と、前記一の撮像手段とは撮像視野を異にするように配設された他の撮像手段と、前記一の撮像手段によって取得される一の映像信号と、前記他の撮像手段によって取得される他の映像信号とを分離可能な形に多重化して多重化映像信号を得る多重化処理部と、
前記一の映像信号と前記他の映像信号とに基づく各再生映像を所定の映像表示部において併せ表示するときの表示態様を規定する映像合成態様指定信号と前記多重化映像信号との供給を受けて該供給された前記多重化映像信号を一の映像信号と他の映像信号とに分離し更に該分離された前記一の映像信号と他の映像信号とを前記映像合成態様指定信号によって規定される表示態様に適合する合成映像信号を成すように映像合成処理するサーバに送信する多重化映像信号送信部と、を備えていることを特徴とする移動機。
【請求項６】
話者を撮像視野に含み得るように配設された一の撮像手段によって取得される一の映像信号と、前記一の撮像手段とは撮像視野を異にするように配設された他の撮像手段によって取得される他の映像信号とを分離可能な形に多重化した多重化映像信号を得るように構成された送信側の移動機から、通信網を介して供給される該多重化映像信号を受信し、且つ、前記一の映像信号と前記他の映像信号とに基づく各再生映像を所定の映像表示部において併せ表示するときの表示態様を規定する映像合成態様指定信号を受信し、該受信された前記多重化映像信号を一の映像信号と他の映像信号とに分離し更に該分離された前記一の映像信号と他の映像信号とを前記映像合成態様指定信号によって規定される表示態様に適合する合成映像信号を成すように映像合成処理するサーバと前記通信網を介して結ばれるように構成された移動機であって、
前記サーバから前記合成映像信号を受信する合成映像信号受信部と、外部操作に応じて前記送信側の移動機における表示に影響を与えずに前記映像合成態様指定信号を生成する映像合成操作部と、前記映像合成操作部で生成された映像合成態様指定信号を前記サーバに送信する映像合成態様指定信号送信部と、を備えていることを特徴とする移動機。
【請求項７】
話者を撮像視野に含み得るように配設された一の撮像手段によって取得される一の映像信号と、前記一の撮像手段とは撮像視野を異にするように配設された他の撮像手段によって取得される他の映像信号とを分離可能な形に多重化した多重化映像信号を得るように構成された送信側の移動機から、通信網を介して供給される該多重化映像信号を受信する多重化映像信号受信部と、前記一の映像信号と前記他の映像信号とに基づく各再生映像を所定の映像表示部において併せ表示するときの表示態様を規定する映像合成態様指定信号を受信する映像合成態様指定信号受信部と、前記多重化映像信号受信部で受信された前記多重化映像信号を一の映像信号と他の映像信号とに分離し更に該分離された前記一の映像信号と他の映像信号とを前記映像合成態様指定信号受信部で受信された映像合成態様指定信号によって規定される表示態様に適合する合成映像信号を成すように合成処理する映像合成処理部と、を備えていることを特徴とするサーバ。
【請求項８】
一または複数の話者を撮像視野に含み得るように配設された一の撮像手段によって取得した一の映像信号と、前記一の撮像手段とは撮像視野を異にするように配設された他の撮像手段によって取得した他の映像信号とを、分離可能な形に多重化して多重化映像信号を得る送信側の移動機から、通信網を介して供給される該多重化映像信号を受信する移動機における映像再生方法であって、
前記通信網から該多重化映像信号を受信する多重化映像信号受信のステップと、前記多重化映像信号受信のステップで受信した多重化映像信号を前記一の映像信号と前記他の映像信号とに分離する信号分離のステップと、前記信号分離のステップで分離された前記一の映像信号と前記他の映像信号とに基づく各映像を表示する映像表示のステップと、前記一の映像信号と前記他の映像信号とに基づく各再生映像の前記映像表示のステップにおける表示態様を前記送信側の移動機における表示に影響を与えずに操作する映像表示操作のステップと、を含んでいることを特徴とする移動機における映像再生方法。
【発明の詳細な説明】
【技術分野】
【０００１】
本発明は、移動機、サーバ、および、移動機における映像再生方法に関する。
【背景技術】
【０００２】
移動機を用いたテレビ電話では、移動機に備えられたカメラの映像を通信相手に送信することが可能であり、テレビ電話はお互いの顔を見ながら会話できることが一つの利点である。
しかし、自分の姿が背景までも含んでそのまま忠実に通信相手に伝わってしまうことは必ずしも都合が良いとは言えない場合がある。
【０００３】
このような現実的な状況を勘案して、テレビ電話の使用者（送信側の話者）が自分の周りの様子を相手に見せたくないときや、テレビ電話が携帯型の場合、自分がどこにいるのか相手に悟られたくないときに、話者が意図的に背景の一部を見難くしたり、通信相手が不快に感じない程度に自分の背景の一部を作成画像に置き換えるようにしたテレビ電話装置が提案されている（特許文献１参照）。
【０００４】
また、通話の音声と映像のみでは、会話が単調になりがちであることから、話者の顔や背景などを話者同士で自由に変形し、演出効果を高めることができるテレビ電話も提案されている（特許文献２参照）。
また一方、２台のカメラをそれらの撮像視野が逆向きになるように設置し、一方のカメラでユーザ側を撮影し、他方のカメラでユーザの前方視野を撮影し、これら２台のカメラで撮影される映像を重ね合わせて映像を伝送し、該伝送された映像を受信側で双方の映像を分離して認識可能に表示する技術も提案されている（特許文献３参照）。
【０００５】
更にまた、携帯電話機に上述のように２台のカメラをそれらの撮像視野が異なる向きになるように設置し、双方のカメラによる撮影画像を合成して記録できるようにした技術も提案されている（特許文献４参照）。
また、テレビ電話機能付き携帯電話機で、カメラで撮影された人物の背景の一部を作成画像に置き換えるに際して、その人物の輪郭を検出して背景である領域を認識し、斯く認識された背景領域を背景除去装置によって除去し、予め登録されている背景画像に置換するといった具体的手法も提案されている（特許文献５参照）。
【０００６】
他方、カメラを備えたユーザ端末を用いるテレビ電話システムにおいて、通話中での興趣を向上させるべく、送信側からメニュー画面を提供し、これに応じて受信側でこのメニュー画面を利用したメニュー選択操作を行うと、この選択に対応したデータを送信側から受信側に供給して、受信側ユーザ端末では所望に応じた画面表示が行なわれるようにした技術も提案されている（特許文献６参照）。
【０００７】
【特許文献１】特開２０００−１７５１６６号公報（要約、段落０００３〜段落０００５、図３等）
【特許文献２】特開２００４−７２３１０号公報（要約、段落０００２〜段落０００４、段落００７０〜段落００７１、段落００９６〜段落０１０１、図６、図３７等）
【特許文献３】特開２００５−６４６８１号公報（要約、段落０００５〜段落００１０、図２等）
【特許文献４】特開２００４−１８０１０７号公報（要約、段落００４０〜段落００４１、図３等）
【特許文献５】特開２００３−３３３５５６号公報（要約、段落００２０〜段落００２１、図２、図３等）
【特許文献６】特開２００６−３４５０７６号公報（要約、段落００４３〜段落００５３、図４、図５、図６等）
【発明の開示】
【発明が解決しようとする課題】
【０００８】
上述の特許文献１には、送信側の話者が主導的に自分の背景映像の写り込み方を選択することが開示され、また、特許文献２には、送信側および受信側の双方の話者間で当初から了解の上で話者の顔や背景などを話者同士で自由に変形させることが開示されているが、送信側から供給された映像を受信したときに受信側の話者が主導的に再生の態様（即ち、表示の態様）を選択できるようにするといった思想がない。話者の背景に当たる領域を既存の画像に置換する特許文献５の技術も上述の点については同様である。
【０００９】
また、特許文献３および特許文献４には、撮像視野を異にする２台のカメラを適用して、話者とその前方視野に関する各映像を同時に記録し、双方のカメラによる合成映像を得ることが開示されているが、受信側の話者の所望に応じて合成映像の表示態様を選択できるようにするといった思想がない。
一方、特許文献６の技術では、受信した映像の表示態様を選択するについて一見受信側の話者が主導的に行い得るものであるが、その選択は、送信側から提供されるメニュー画面に従ってこれを行なうものであり、選択の自由度は原理的に送信側に拘束されたものである。
【００１０】
しかしながら、移動機で行うテレビ電話通信では、受信側の話者の立場にある映像受信者は、送信側の話者の立場にある映像送信者から送られてくる映像、例えば送信側の話者が映っている映像と、その話者の前方視野に展開している風景の映像とが合成された映像を移動機の小さな画面で観察することになる。
そのため、移動機の極めて限定されたサイズの表示画面において、受信側の話者にとっては全く興味のない映像によって否応無く表示画面の大きな部分を占有されてしまうようなことも生じてしまう。
【００１１】
このような場合には、受信側の話者にとって興味があったり、重要であったり、特別な価値があったりする所望の映像を具に観察することが困難になってしまうといった問題が惹起される。
例えば、受信側の話者は送信側の話者の顔よりもその話者の前方視野に展開している風景の映像を十分な表示サイズで見たいのに、送信側の話者の顔によって表示画面の中央領域が大きく占有されてしまい、見たい風景の映像はその周辺の領域に小さく写ってしまっている場合等である。
【００１２】
このような問題に対処するために、受信側の話者から送信側の話者に対して、顔の映像は副次的な位置付けで画面内に小さく配置させるような要求を発信出来るようにすることも考えられるが、何等の斟酌も無くこのような要求を行なうことが許容されるようにしてしまうと、場合によっては、送信側の話者が自尊心を傷つけられたり、不快感を催すきっかけになってしまうといった新たな問題を惹起するおそれもある。
【００１３】
また、仮に、受信側の話者から送信側の話者に対して別段の要求を出さずとも、専ら受信側の話者における任意により送信側の話者の顔を副次的な位置付けで邪魔にならない位置に表示するような操作を行えるようにしたとしても、このような操作をしていることが送信側においてそのまま認識されてしまうようでは、結局上述したところと同様に、送信側の話者に不快感情を催させてしまう懸念は払拭され得ない。
【００１４】
本発明はこのような状況に鑑みてなされたものであり、送信側の話者には認識されないようにしつつ、受信側で、所望の態様での再生映像の表示を行ない、これによって、送信側の話者のプライドを傷つけたりすることなく、受信側の所望に合わせて映像を観察できるようにした移動機、サーバ、および、移動機における映像再生方法を提供することを目的とする。
【課題を解決するための手段】
【００１５】
上記課題を解決するべく、本願では次に列記するような装置および方法を提案する。
即ち、本発明による一つの移動機は、話者を撮像視野に含み得るように配設された一の撮像手段によって取得される一の映像信号と、前記一の撮像手段とは撮像視野を異にするように配設された他の撮像手段によって取得される他の映像信号とを、所定の信号多重化処理部によって分離可能な形に多重化して多重化映像信号を得るように構成された送信側の移動機から、通信網を介して供給される該多重化映像信号を受信するように構成された移動機であって、
前記通信網から該多重化映像信号を受信する多重化映像信号受信部と、前記多重化映像信号受信部で受信した多重化映像信号を前記一の映像信号と前記他の映像信号とに分離する信号分離部と、前記信号分離部で分離された前記一の映像信号と前記他の映像信号とに基づく各映像を表示する映像表示部と、前記一の映像信号と前記他の映像信号とに基づく各再生映像の前記映像表示部における表示態様を前記送信側の移動機における表示に影響を与えずに操作する映像表示操作部と、を備えていることを特徴とする。
【００１６】
上記のような移動機によれば、撮像視野を異にする一の撮像手段と他の撮像手段とよってそれぞれ取得される各映像信号が分離可能に多重化されて生成された多重化映像信号が、送信側の移動機から通信網を介して供給されると、該供給される多重化映像信号を自機の多重化映像信号受信部で受信し、信号分離部で前記一の映像信号と前記他の映像信号とに分離する。
上記分離された前記一の映像信号と前記他の映像信号とに基づく各映像を映像表示部で表示するが、この表示に際して、前記一の映像信号と前記他の映像信号とに基づく各再生映像の前記映像表示部における表示態様を映像表示操作部によって前記送信側の移動機における表示に影響を与えずに操作することができる。
【００１７】
従って、送信側の話者には認識されないようにしつつ、受信側で、映像表示操作部を通して設定した所望の態様での再生映像の表示を行なうことができる。
また、上述のような移動機は、その一態様として、前記映像表示操作部が、前記映像表示部における前記一の映像信号と前記他の映像信号との表示領域のパターンを選択操作するように構成される。
このような構成をとることにより、受信側話者の任意によって前記映像表示操作部が選択操作されて、受信側話者の所望に見合ったパターンでの表示態様をとることが可能になる。
【００１８】
また、上述のような移動機は、他の態様として、前記信号分離部は、前記送信側の移動機を扱う話者の顔を撮像視野に含むようにして前記一の撮像手段によって取得される一の映像信号と、前記話者の前方視野を撮像視野として前記他の撮像手段によって取得される他の映像信号とを、前記信号多重化処理部によって分離可能な形に多重化して生成された多重化映像信号を自機の前記多重化映像信号受信部が受信したときには、該受信した多重化映像信号を前記一の映像信号と前記他の映像信号とに分離するように構成され、且つ、前記映像表示操作部は、前記一の映像信号に基づく前記話者の顔に係る再生映像と前記他の映像信号に基づく前記話者の前方視野に係る再生映像との前記映像表示部における表示態様を操作するように構成される。
【００１９】
このような構成をとることにより、受信側話者の所望に応じて前記映像表示操作部が操作されて、例えば、受信側話者にとって興味のある他の映像である送信側の話者の前方視野に展開している風景の映像などが映像表示部に表示画面の全域を占めるように表示され、当面は具に見る程の興味がない送信側の話者の顔の映像は上述の表示画面中の比較的狭小な領域にスーパーインポーズされるに留めるといったような表示態様をとることが可能になる。
【００２０】
また、上述のような移動機は、更に他の態様として、話者を撮像視野に含み得るように配設された一の撮像手段と、前記一の撮像手段とは撮像視野を異にするように配設された他の撮像手段と、前記一の撮像手段によって取得される一の映像信号と前記他の撮像手段によって取得される他の映像信号とを所定の映像合成制御信号によって規定される態様で合成処理して合成映像信号を得る映像合成部と、他機から通信網を介して供給される映像合成態様指定信号に基づいて前記映像合成制御信号を生成して前記映像合成部に供給する映像合成態様選択部と、を備えている。
【００２１】
このような構成をとることにより、撮像視野を異にする一の撮像手段と他の撮像手段とよってそれぞれ取得される各映像信号とが、映像合成部において所定の映像合成制御信号によって規定される態様で合成処理されて合成映像信号が得られる。
この合成処理に際して、映像合成態様選択部において、他機から通信網を介して供給される映像合成態様指定信号に基づいて前記映像合成制御信号が生成され、該生成された映像合成制御信号が前記映像合成部に供給される。
【００２２】
この場合、他機から通信網を介して供給される映像合成態様指定信号は、例えば、当該他機で受信側話者の所望による操作に応じて生成されるものであり、斯く生成されて自機に供給された映像合成態様指定信号に基づく前記映像合成制御信号に従った合成処理によって生成した合成映像信号が自機から当該他機に送られ、再生されて、結果的に受信側話者の所望に見合った表示態様が当該他機において実現される。
【００２３】
本発明の更に他の態様の移動機は、話者を撮像視野に含み得るように配設された一の撮像手段と、前記一の撮像手段とは撮像視野を異にするように配設された他の撮像手段と、前記一の撮像手段によって取得される一の映像信号と、前記他の撮像手段によって取得される他の映像信号とを分離可能な形に多重化して多重化映像信号を得る多重化処理部と、前記一の映像信号と前記他の映像信号とに基づく各再生映像を所定の映像表示部において併せ表示するときの表示態様を規定する映像合成態様指定信号と前記多重化映像信号との供給を受けて該供給された前記多重化映像信号を一の映像信号と他の映像信号とに分離し更に該分離された前記一の映像信号と他の映像信号とを前記映像合成態様指定信号によって規定される表示態様に適合する合成映像信号を成すように映像合成処理するサーバに送信する多重化映像信号送信部と、を備えていることを特徴としている。
【００２４】
上記態様の移動機では、前記一の映像信号と前記他の映像信号とに基づく各再生映像を所定の映像表示部において併せ表示するときの表示態様を規定する映像合成態様指定信号と前記多重化映像信号との供給を受けて該供給された前記多重化映像信号を一の映像信号と他の映像信号とに分離し更に該分離された前記一の映像信号と他の映像信号とを前記映像合成態様指定信号によって規定される表示態様に適合する合成映像信号を成すように映像合成処理するサーバと例えば無線通信網等を通して結ばれた形で用い得ることを前提として、このようなサーバによって担われる前記多重化映像信号を一の映像信号と他の映像信号とに分離する処理を実行する機能部や該分離された多重化映像信号を前記映像合成態様指定信号によって規定される表示態様に適合する合成映像信号を成すように映像合成処理を実行する機能部に相当する各構成が軽減されている。
【００２５】
上記のように構成が簡素化され、自らは、前記一の撮像手段と他の撮像手段とを備えて、これら撮像手段によって例えば話者の顔を撮影して得た一の映像信号と該話者の前方視野を撮影して得た他の映像信号とを得る。
更に多重化処理部によって一の映像信号と他の映像信号とを分離可能な形に多重化して多重化映像信号を得る。
上述のようにして得た多重化映像信号を、多重化映像信号送信部から、上記各機能を備えたサーバに送信する。
このような多重化映像信号を受けたサーバ側では、上述のような処理を実行することによって合成映像信号を生成するため、該サーバからこのような合成映像信号の供給を受ける相手方の移動機では、この合成映像信号によって前記映像合成態様指定信号によって規定される表示態様での再生映像の表示を行なうことが可能になる。
【００２６】
本発明の更に他の移動機は、話者を撮像視野に含み得るように配設された一の撮像手段によって取得される一の映像信号と、前記一の撮像手段とは撮像視野を異にするように配設された他の撮像手段によって取得される他の映像信号とを分離可能な形に多重化した多重化映像信号を得るように構成された送信側の移動機から、通信網を介して供給される該多重化映像信号を受信し、且つ、前記一の映像信号と前記他の映像信号とに基づく各再生映像を所定の映像表示部において併せ表示するときの表示態様を規定する映像合成態様指定信号を受信し、該受信された前記多重化映像信号を一の映像信号と他の映像信号とに分離し更に該分離された前記一の映像信号と他の映像信号とを前記映像合成態様指定信号によって規定される表示態様に適合する合成映像信号を成すように映像合成処理するサーバと前記通信網を介して結ばれるように構成された移動機であって、
前記サーバから前記合成映像信号を受信する合成映像信号受信部と、外部操作に応じて前記送信側の移動機における表示に影響を与えずに前記映像合成態様指定信号を生成する映像合成操作部と、前記映像合成操作部で生成された映像合成態様指定信号を前記サーバに送信する映像合成態様指定信号送信部と、を備えていることを特徴とする。
【００２７】
上記のような態様の移動機では、話者を撮像視野に含み得るように配設された一の撮像手段によって取得される一の映像信号と、前記一の撮像手段とは撮像視野を異にするように配設された他の撮像手段によって取得される他の映像信号とを分離可能な形に多重化した多重化映像信号を得るように構成された送信側の移動機から、通信網を介して供給される該多重化映像信号を受信し、且つ、前記一の映像信号と前記他の映像信号とに基づく各再生映像を所定の映像表示部において併せ表示するときの表示態様を規定する映像合成態様指定信号を受信し（この受信は上述の送信側移動機の通信の相手方となる移動機から発された映像合成態様指定信号の受信であり得る）、該受信された前記多重化映像信号を一の映像信号と他の映像信号とに分離し更に該分離された前記一の映像信号と他の映像信号とを前記映像合成態様指定信号によって規定される表示態様に適合する合成映像信号を成すように映像合成処理するサーバと前記通信網を介して結ばれるように構成されている。
【００２８】
自機の映像合成態様指定信号送信部は、上述のような機能を有するサーバに対して、自機の映像合成操作部において例えば操作者による外部操作に応じて前記送信側の移動機における表示に影響を与えずに生成した前記映像合成態様指定信号を供給する。
自機の合成映像信号受信部では、このような映像合成態様指定信号の供給を受けて該映像合成態様指定信号によって規定される表示態様に適合するように前記サーバで生成される合成映像信号を受信する。
従って、該受信された合成映像信号によって、映像合成操作部に対する外部操作による設定に適合する態様で再生映像が表示され得る。
【００２９】
本発明の更に他の態様としてのサーバでは、話者を撮像視野に含み得るように配設された一の撮像手段によって取得される一の映像信号と、前記一の撮像手段とは撮像視野を異にするように配設された他の撮像手段によって取得される他の映像信号とを分離可能な形に多重化した多重化映像信号を得るように構成された送信側の移動機から、通信網を介して供給される該多重化映像信号を受信する多重化映像信号受信部と、前記一の映像信号と前記他の映像信号とに基づく各再生映像を所定の映像表示部において併せ表示するときの表示態様を規定する映像合成態様指定信号を受信する映像合成態様指定信号受信部と、前記多重化映像信号受信部で受信された前記多重化映像信号を一の映像信号と他の映像信号とに分離し更に該分離された前記一の映像信号と他の映像信号とを前記映像合成態様指定信号受信部で受信された映像合成態様指定信号によって規定される表示態様に適合する合成映像信号を成すように合成処理する映像合成処理部と、を備えていることを特徴とする。
【００３０】
上述のようなサーバでは、多重化映像信号受信部において、話者を撮像視野に含み得るように配設された一の撮像手段によって取得される一の映像信号と、前記一の撮像手段とは撮像視野を異にするように配設された他の撮像手段によって取得される他の映像信号とを分離可能な形に多重化した多重化映像信号を得るように構成された送信側の移動機から、通信網を介して供給される該多重化映像信号を受信する。
また、映像合成態様指定信号受信部では、前記一の映像信号と前記他の映像信号とに基づく各再生映像を所定の映像表示部において併せ表示するときの表示態様を規定する映像合成態様指定信号を受信する。
【００３１】
更に、映像合成処理部において、前記多重化映像信号受信部で受信された前記多重化映像信号を一の映像信号と他の映像信号とに分離し更に該分離された前記一の映像信号と他の映像信号とを前記映像合成態様指定信号受信部で受信された映像合成態様指定信号によって規定される表示態様に適合する合成映像信号を成すように合成処理する。
上述のサーバは、映像合成処理部における上述の処理を賄うように機能するものであるため、通信網を通して結ばれた移動機における該映像合成処理部における機能部に相当する構成を軽減することが可能になり、更に、通常の移動機では処理することができない複雑な処理も行い得るような可能性が開かれる。
【００３２】
一方、本発明の移動機における映像再生方法は、一または複数の話者を撮像視野に含み得るように配設された一の撮像手段によって取得した一の映像信号と、前記一の撮像手段とは撮像視野を異にするように配設された他の撮像手段によって取得した他の映像信号とを、分離可能な形に多重化して多重化映像信号を得る送信側の移動機から、通信網を介して供給される該多重化映像信号を受信する移動機における映像再生方法であって、
前記通信網から該多重化映像信号を受信する多重化映像信号受信のステップと、前記多重化映像信号受信のステップで受信した多重化映像信号を前記一の映像信号と前記他の映像信号とに分離する信号分離のステップと、前記信号分離のステップで分離された前記一の映像信号と前記他の映像信号とに基づく各映像を表示する映像表示のステップと、前記一の映像信号と前記他の映像信号とに基づく各再生映像の前記映像表示のステップにおける表示態様を前記送信側の移動機における表示に影響を与えずに操作する映像表示操作のステップと、を含んでいる。
【００３３】
上述のような移動機における映像再生方法では、撮像視野を異にする一の撮像手段と他の撮像手段とよってそれぞれ取得される各映像信号が分離可能に多重化されて生成された多重化映像信号が、送信側の移動機から通信網を介して供給されると、該供給される多重化映像信号を多重化映像信号受信のステップで受信する。
該受信された多重化映像信号を、信号分離のステップで前記一の映像信号と前記他の映像信号とに分離する。
【００３４】
上記信号分離のステップで分離された前記一の映像信号と前記他の映像信号とに基づく各映像を映像表示のステップで表示する。
映像表示操作のステップで、前記映像表示のステップにおける表示における前記一の映像信号と前記他の映像信号とに基づく各再生映像の表示態様を前記送信側の移動機における表示に影響を与えずに操作する。
従って、送信側の話者には認識されないようにしつつ、受信側話者の所望の態様での再生映像の表示を行なうことができる。
【発明の効果】
【００３５】
本発明によれば、送信側の話者には認識されないようにしつつ、受信側で、所望の態様での再生映像の表示を行ない、これによって、送信側の話者のプライドを傷つけたりすることなく、受信側の話者の所望に合わせて映像を観察できるようにした移動機が実現される。
【発明を実施するための最良の形態】
【００３６】
以下、図面を参照して本発明の実施の形態について詳述することにより本発明を明らかにする。
（第１の実施の形態）
図１は、本発明の一つの実施の形態としての移動機の構成を表す機能ブロック図である。図１の移動機はテレビ電話システムの端末装置として機能し得るように構成されたカメラ付きの携帯電話機の態様をとるものである。
テレビ電話は双方向通信で行われるが、図１では、説明の便宜上、送信側の移動機１１０として機能する場合の各要素に関する構成が、図中、無線通信網１５０の上側に描かれ、受信側の移動機１３０として機能する場合の各要素に関する構成が、図中、無線通信網１５０の下側に描かれている。
後に図面を参照して詳述するように、カメラ付きの携帯電話機の態様をとる上述の移動機は、全体としては、送信側の移動機１１０として機能する場合の各要素と受信側の移動機１３０として機能する場合の各要素とを併せ持つように構成されている。
【００３７】
（送信側の移動機が有する構成）
送信側の移動機１１０は、話者を撮像視野に含み得るように配設された一の撮像手段を構成する内側映像入力部１１１、前記一の撮像手段とは撮像視野を異にするように配設されて他の撮像手段を構成する外側映像入力部１１２、上述の内側映像入力部１１１、および、外側映像入力部１１２によってそれぞれ取得される映像信号を符号化するように各対応して設けられた映像符号化部１１３および１１４を備えている。
これらの映像符号化部１１３および１１４では、例えば、MPEG４など所定の符号化処理が実行される（MPEG：Moving Picture Experts Group）。
【００３８】
更に、これらの映像符号化部１１３および１１４で符号化された各映像信号を分離可能な形に多重化して多重化映像信号を得る多重化部１１５、この多重化部１１５で得た多重化映像信号（後述するように音声も多重化されている）を相手方の移動機に無線通信網１５０を通して送信し且つ自機が受信側の移動機として機能するときに相手方の移動機から多重化映像信号を受信するためのテレビ電話送受信処理部１１６を備えている。
また、話者の声を検出するマイクロフォン等を含んで構成された音声入力部１１７が設けられ、この音声入力部１１７の出力である音声信号も、多重化部１１５に供給されて多重化映像信号に多重化される。
【００３９】
（受信側の移動機が有する構成）
一方、受信側の移動機１３０は、多重化映像信号を授受するためのテレビ電話送受信処理部１３１、テレビ電話送受信処理部１３１で受信された多重化映像信号を上述の一の映像信号と他の映像信号とに分離する信号分離部として機能すると共にこれら映像信号と上述の音声信号とを分離する映像分離部１３２、この映像分離部１３２で分離された一の映像信号および他の映像信号を復号化する復号化処理部１３３、該復号化された映像信号による各映像を表示する映像表示部１３４、および、映像表示部１３４における上述の一の映像信号と他の映像信号とに基づく各再生映像の表示態様を送信側の移動機１１０における表示に影響を与えずに操作する映像表示態様指定部１３５が設けられている。
尚、上述の映像分離部１３２で分離された音声信号は例えばスピーカ等を含んで構成された音声出力部１３６に供給され、ここで音声として出力される。
【００４０】
（送信側の移動機におけるカメラの配置）
図２は、移動機１１０における、上述の内側映像入力部１１１および外側映像入力部１１２の配置（それらのカメラ１１１ａ、１１２ａの取り付け状況）を説明するための図である。
送信側の移動機１１０における一の撮像手段を構成する内側映像入力部１１１は、表示部１３４（既述の図１では送信側の移動機１１０に関しては図示が省略されているが、受信側の移動機１３０におけるものと同様であり、図２では便宜上この参照符号を附している）を送信側の話者が観察している状態でこの送信側の話者（その顔）を撮像視野Ｖ１に含むように、言わば内向きに取り付けられたカメラ１１１ａを含んで構成されている。
【００４１】
上述のように、内向きに取り付けられたカメラ１１１ａは移動機の表示部１３４である液晶画面を見ながら撮影できるため話者自身を撮影するのに適している。テレビ電話では、送信側の話者（その顔）を相手に表示させる場合は内側のカメラ１１１ａを用いて撮影するのが一般的である。
一方、送信側の移動機１１０に関連して説明した他の撮像手段を構成する外側映像入力部１１２は、上述の内側映像入力部１１１とは異なる撮像視野Ｖ２を有するように言わば外向きに取り付けられたカメラ１１２ａを含んで構成されている。
【００４２】
本例では、外側映像入力部１１２のカメラ１１２ａは内側映像入力部１１１のカメラ１１１ａとは反対方向を撮影するようにそれらの向きが設定されており、従って、内側映像入力部１１１のカメラ１１１ａで送信側の話者（その顔）を撮影しているときには、外側映像入力部１１２のカメラ１１２ａは概ね話者の前方視野を撮影することができる。
上述のように配された２台のカメラ１１１ａおよび１１２ａを備えた移動機をテレビ電話として用いる際には、送信側話者の前方視野の映像を相手に表示させたい場合は外側のカメラ（外側映像入力部１１２のカメラ１１２ａ）に切り替えて撮影するのが一般的である。
【００４３】
（映像信号の多重化）
以上の構成において、送信側の移動機１１０の多重化部１１５では、既述のように、映像符号化部１１３および１１４で符号化された各映像信号を分離可能な形に多重化するが、この多重化処理は、例えば、3G‐324Mの場合、H.223 Annex Bに準拠して動画データの多重化処理が実行される。
この時、予めH.245の制御信号を利用して、テレビ電話に適用される移動機間で２台のカメラの何れによる映像か（内側映像と外側映像の何れか）を区別する指標を定義しておく。
【００４４】
図３は、多重化部１１５で実行される多重化処理によって生成される動画データのフォーマットを例示する図である。
図３に示されたように、動画像データの先頭ビットが「１」ならば内側映像入力部１１１のカメラによる映像（例えば、送信側話者の顔を主体的に含む蓋然性が高い）、「０」ならば外側映像入力部１１２のカメラによる映像（例えば、送信側話者の前方視野に展開する景色を主体的に含む蓋然性が高い）というように定義する。
多重化部１１５で二つの映像を区別できる図３に示されたようなフォーマットになるようにして多重化を行った多重化映像データ（上述のように更に音声信号も多重化される）は、テレビ電話送受信処理部１１６に供給され、更に、テレビ電話送受信処理部１１６から無線通信網１５０経由で、指定された宛先（受信側の移動機）に送信される。
【００４５】
受信側の移動機１３０のテレビ電話送受信処理部１３１は、送信側の移動機１１０から送信されたテレビ電話データを受信して映像分離部１３２に供給する。
映像分離部１３２は、テレビ電話送受信処理部２０１から受け取った受信データを、送信元の多重化方式に従って内側映像入力部１１１のカメラで撮影された映像と外側映像入力部１１２のカメラで撮影された映像とに分離する。
【００４６】
例えば、3G‐324Ｍの場合H.223 Annex Bで多重化され、送信元において動画像データの先頭ビットが「１」の場合には内側映像入力部１１１のカメラで撮影された映像（以下、適宜「顔の映像」という）であり、「０」の場合には外側映像入力部１１２のカメラで撮影された映像（以下、適宜「景色の映像」という）である図３のような場合、上述の先頭ビットの値に応じて、内側映像入力部１１１のカメラで撮影された映像データと外側映像入力部１１２のカメラで撮影された映像データに分離される。
【００４７】
（映像の表示態様）
図４は、映像表示態様指定部１３５が保有する映像表示態様を規定する表示態様データについて説明するための図である。
図４を参照して理解される通り、映像表示部１３４における「顔の映像」と「景色の映像」との表示に係る双方の映像の合成パターン、映像サイズ・位置、および、その他処理が、映像表示態様指定部１３５に保有されている複数通りの表示態様データによって規定される。
受信側話者は、受信側の移動機における後述する操作部に対する操作を行うことによって、所望に応じた合成パターン、映像サイズ・位置、および、その他処理を複数通りのうちの何れかの表示態様データを特定することによって選択する。
【００４８】
斯く選択された表示態様データが映像表示部１３４に供給されて、受信側話者の所望に応じた合成パターン、映像サイズ・位置、および、その他処理による映像が映像表示部１３４で表示される。
即ち、映像表示部１３４は、映像表示態様指示部１３５からの表示態様データと映像分離部１３２で分離された「顔の映像」のデータと「景色の映像」のデータを元に、映像合成を行って映像表示部１３４の液晶画面に映像を表示させる。
図４に例示されているような合成パターン、映像サイズ・位置、および、その他処理自体は、テレビや映像処理ソフトなどに係る映像合成でも適用されている一般的な既存映像処理技術である。
尚、図４は一例であり、移動機の能力に応じて合成パターン、映像特殊効果を増やすことが可能である。
【００４９】
（移動機の構成および動作）
図５は、図１の送信側の移動機と受信側の移動機との機能を併せ持つ移動機の機能ブロック図である。既述の図１においては、説明の便宜上、送信側の移動機として機能する部分（送信移動機１１０として既述の部分）と受信側の移動機として機能する部分（受信側の移動機１３０として既述の部分）とを一の移動機と他の移動機との各該当部分として示したが、テレビ電話に適用される移動機は、図５における如く、送信側の移動機として機能する部分および受信側の移動機として機能する部分との双方を備えている。
【００５０】
図５において、既述の図１との対応部は同一の参照符号を付して示してある。例えばマイクロプロセッサを主体に構成されるシステムコントローラ５１０は、該当する各機能部と信号線（バス）５１１によって結ばれて、これら各機能部を統括的に管理すると共に、自ら所定のタイミングで既述の符号化および復号化の処理を実行する復号化・復号化機能部としても作動するように構成されている。
【００５１】
即ち、各個には図１に示されたものと略同様に機能し得る、内側映像入力部１１１、外側映像入力部１１２、音声入力部１１７、多重化部１１５、テレビ電話送受信処理部１３１（１１６）、映像分離部１３２、音声出力部１３６、および、映像表示部１３４がバス５１１を通してシステムコントローラ５１０と結ばれている。
更に、操作者からの各種の外部操作を受付けるための操作キー或いはタッチパネルなどを含んで構成された操作部５１２がバス５１１を通してシステムコントローラ５１０と結ばれている。
【００５２】
次に、図６を併せ参照して図５の構成を有する本発明の第１の実施の形態としての移動機の動作について説明する。
図６は、本発明の実施の形態としての移動機の動作を表すシーケンス図である。尚、この動作の説明では、テレビ電話での通話を行なう場合に用いられ送信側と受信側との双方の立場を適宜に交替させつつ用いられる移動機として、何れも、図５のような構成を備えたものを適用すると仮定している。
本実施の形態に係る移動機（図５）を動作させるに当たっては、まず、内側映像入力部１１１、および、外側映像入力部１１２の各カメラで同時に撮影して取得した各映像信号（例えば「顔の映像」と「景色の映像」との映像信号）をシステムコントローラ５１０の映像符号化機能部（図１における映像符号化部１０３および１０４に相応する）に供給する（Ｓ６０１、Ｓ６０２）。
【００５３】
システムコントローラ５１０（その映像符号化機能）は上述のＳ６０１、Ｓ６０２で供給された映像信号に対しMPEG４などに準拠した所定の符号化処理を実行し、斯く符号化した映像を多重化部１１５に供給する（Ｓ６０３）。
内側映像入力部１１１、および、外側映像入力部１１２の各カメラによる例えば「顔の映像」と「景色の映像」との映像信号は多重化部１１５で、例えば、3G‐324Ｍの場合H.223 Annex Bで多重化される。
この多重化では、内側映像入力部１１１または外側映像入力部１１２の何れのカメラによって撮影された映像であるのかが識別される形式で多重化される。
即ち、例えば、３Ｇ−３２４Ｍの場合、H.223 Annex Bに従って変換されるが、予めH.245の制御情報によって双方の移動機間でプロトコルを定義しておくことにより、図３を参照して既述の通り、動画像データ部の先頭ビットが「１」か「０」かに応じて何れのカメラによる映像かを判別できる。
【００５４】
斯く多重化されたデータが送信および受信の双方について所要の機能を有するテレビ電話送受信処理部１１６（このときは送信機能）に供給される（Ｓ６０４）。
テレビ電話送受信処理部１１６（このときは送信機能）は、通信網を介して送信データを宛先端末（受信側の移動機）に送信する（Ｓ６０５）。
受信側の移動機では、テレビ電話送受信処理部１３１（図５ではテレビ電話送受信処理部１１６と同じ機能ブロックで表記されている）において、テレビ電話データを受信する（Ｓ６０５）。
テレビ電話送受信処理部１３１（このときは受信機能）は、映像に関するデータを映像分離部１３２へ転送する（Ｓ６０６）。
【００５５】
映像データを受けた映像分離部１３２は送信側の移動機における多重化部１１５で多重化された方式に従って、内側映像入力部１１１、および、外側映像入力部１１２の各カメラによる映像データを各別に分離し、且つ、音声データも分離し、分離した音声データを音声出力部１３６に転送する。
操作部５１２およびシステムコントローラ５１０のうち図１の映像表示態様指定部１３５に相応する機能部は、操作者による外部操作に応じて、映像表示部１３４に対して予め内側映像入力部１１１、および、外側映像入力部１１２の各カメラによる例えば「顔の映像」と「景色の映像」との映像信号をどのように合成させて表示させるかを指示している（Ｓ６０７）。
【００５６】
映像分離部１３２は内側映像入力部１１１、および、外側映像入力部１１２の各カメラの映像データに分離した映像データを映像表示部１３４に供給する。
この映像データを受けた映像表示部１３４は、操作部５１２から操作者によって指示された態様で、内側映像入力部１１１、および、外側映像入力部１１２の各カメラによる映像を合成させて表示させる（Ｓ６０８）。この表示に同期するようにして音声出力部１３６からは音声が出力される。
【００５７】
尚、操作部５１２およびシステムコントローラ５１０のうち図１の映像表示態様指定部１３５に相応する機能部は、図４に示すような、内側映像入力部１１１、および、外側映像入力部１１２の各カメラによる映像の合成パターン、映像サイズ・位置、および、その他処理に関する複数通りの表示態様を規定するデータを操作者の選択操作に応じて特定可能な形で保有している。
操作部５１２およびシステムコントローラ５１０の上述の機能部は、このように保有しているデータから、操作者（受信側の話者）の選択操作に対応するデータを読み出して映像表示部１３４に供給し、映像表示部１３４において操作者（受信側の話者）の所望に応じた態様での映像の表示が実現される。
尚、操作者（受信側の話者）による映像表示態様の選択操作は映像受信中でも受付可能であり、随時更新され得る。
【００５８】
また、操作部５１２に対する表示態様を指定するための操作が行われない場合には、この移動機におけるデフォルト設定が適用される。
例えば、表示画面における合成パターンは上下分割、映像サイズ・位置は上側に外側映像入力部１１２のカメラによる映像（「景色の映像」）、下側に内側映像入力部１１１のカメラによる映像（「顔の映像」）といった配置で、その映像サイズの比は５：５、その他処理は特につけない、といったような設定となる。
映像表示部１３４では、操作部５１２に対する表示態様を指定するための操作に従って映像合成処理が行われる。
尚、図４に例示された表示態様を規定するデータは、各移動機に固有のデータが保持され得るものであり、移動機の能力に応じて合成パターン、映像特殊効果などを増やすことが可能である。
【００５９】
以上述べた実施の形態によれば、送信側の移動機の２つのカメラからの映像を多重化して通信網を通してテレビ電話で相手先移動機に送信可能となる。受信側の移動機では、受信したテレビ電話データを内側映像入力部１１１のカメラによる映像（「顔の映像」）と外側映像入力部１１２のカメラによる映像（「景色の映像」）とに分離し、受信側の話者の所望に応じた表示態様を選択して観察することができ、且つ、送信側の話者からは受信側の話者における表示態様の選択状況は認識されないため、受信側の話者における表示態様の選択が送信側の話者の心証に影響するようなことが原理的に生じない。
そのため、送信側の話者から送られる映像を受信者の意思によって自由に合成して携帯端末画面（移動機の映像表示画面）に表示可能となり、所望の映像に相対的に大きな表示領域を割当てる等の選択を行なって、従来のこの種の装置におけるよりも臨場感の高い映像コミュニケーションを実現することができる。
【００６０】
（第２の実施の形態）
図７は、本発明の移動機の他の実施の形態を表す機能ブロック図である。図７の移動機も図１のものと同様に、テレビ電話システムの端末装置として機能し得るように構成されたカメラ付きの携帯電話機の態様をとるものである。
テレビ電話は双方向通信で行われるが、図７では、説明の便宜上、送信側の移動機７１０として機能する場合の各要素に関する構成が、図中、無線通信網７５０の上側に描かれ、受信側の移動機１３０として機能する場合の各要素に関する構成が、図中、無線通信網１５０の下側に描かれている。
後述するように、カメラ付きの携帯電話機の態様をとる上述の移動機は、全体としては、送信側の移動機７１０として機能する場合の各要素と受信側の移動機７３０として機能する場合の各要素とを併せ持つように構成されている。
【００６１】
（送信側の移動機が有する構成）
送信側の移動機７１０は、話者を撮像視野Ｖ１に含み得るように配設された一の撮像手段を構成する内側映像入力部７１１、前記一の撮像手段とは異なる撮像視野Ｖ２を有するように配設されて他の撮像手段を構成する外側映像入力部７１２、および、外側映像入力部７１２によってそれぞれ取得される映像信号を符号化するように各対応して設けられた映像符号化部７１３および７１４を備えている。
これらの映像符号化部７１３および７１４では、例えば、MPEG４など所定の符号化処理が実行される。
【００６２】
更に、これらの映像符号化部７１３および７１４で符号化された各映像信号を後述する映像合成制御信号によって規定される態様で合成処理して合成映像信号を得る映像合成部７１５、この映像合成部７１５で得た合成映像信号に話者の声を検出するマイクロフォン等を含む音声入力部７１６で検出した音声を多重化する多重化部７１７、多重化部７１７で音声が多重化された合成映像信号を相手方の移動機に無線通信網７５０を通して送信し且つ自機が受信側の移動機として機能するときに相手方の移動機から合成映像信号を受信するためのテレビ電話送受信処理部７１８を備えている。
また、この実施の形態では特に、相手方の移動機との間で無線通信網７５０を通して種々の制御信号を授受可能に構成された制御信号送受信部７１９、および、この制御信号送受信部７１９で受信された制御信号のうちの映像合成態様指定信号に基づいて上述の映像合成制御信号を生成して映像合成部７１５に供給する映像合成態様選択部７２０が設けられている。
【００６３】
（受信側の移動機が有する構成）
一方、受信側の移動機７３０は、合成映像信号を授受するためのテレビ電話送受信処理部７３１、テレビ電話送受信処理部７３１で受信された合成映像信号から上述の音声信号を分離する音声・映像分離部７３２、この音声・映像分離部７３２で分離された合成映像信号を復号化する復号化処理部７３３、該復号化された合成映像信号による合成映像を表示する映像表示部７３４、および、音声・映像分離部７３２で分離された上述の音声信号に基づいて音声を出力する例えばスピーカ等を含んで構成された音声出力部７３７が設けられている。
【００６４】
また、上述の合成映像信号の表示態様を送信側の移動機７１０における表示に影響を与えずに操作する映像表示態様指定部７３５が設けられ、この映像表示態様指定部７３５に対する操作に応じて生成される映像合成態様指定信号が制御信号送受信部７３６から無線通信網７５０を通して相手方の移動機７１０の上述した制御信号送受信部７１９に送信される。
本例の受信側の移動機７３０では、映像表示態様指定部７３５は、その出力によって直接的に自機の映像表示部７３４に対して表示態様を変更するような作用を与えるものではなく、操作者の所望に応じた操作によって送信側の移動機７１０に対して上述の映像合成の態様を規定する映像合成態様指定信号を送り、送信側の移動機７１０内部において、受信側の話者が所望とする態様の表示に見合うような映像信号を予め合成させる。
【００６５】
斯く合成された合成映像信号を受信した移動機では、改めて多重化映像の分離や、それらの映像による表示の態様の指定といった操作を要することなく、そのまま再生することによって、予め所望に応じた操作によって選択した態様での表示を得ることができる。
図７の送信側の移動機７１０において、上述の内側映像入力部７１１および外側映像入力部７１２の配置（それらのカメラの取り付け状況）については、図２を参照して図１の移動機における内側映像入力部３１１および外側映像入力部３１２の配置（それらのカメラの取り付け状況）について説明したところと同様である。
【００６６】
受信側の移動機７３０の映像表示態様指定部７３５は、図４を参照して説明したところと同様の映像表示態様を規定する表示態様データを保有している。
図４を参照して既述の通り、映像表示部７３４における「顔の映像」と「景色の映像」との表示に係る双方の映像の合成パターン、映像サイズ・位置、および、その他処理が、映像表示態様指定部７３５に保有されている複数通りの表示態様データによって規定される。
【００６７】
図７の実施の形態の場合、映像表示態様指定部７３５に保有されている複数通りの表示態様データは、上述の映像合成の態様を規定する映像合成態様指定信号を成すものであり、このような映像合成態様指定信号が制御信号送受信部７３６から無線通信網７５０を通して相手方の移動機７１０の上述した制御信号送受信部７１９に送られる。
制御信号送受信部７１９で受信された映像合成態様指定信号は映像合成態様選択部７２０に供給される。
映像合成態様選択部７２０では、供給された映像合成態様指定信号に基づいて上述の映像合成制御信号が生成され、斯く生成された映像合成制御信号が映像合成部７１５に供給される。
映像合成部７１５では、この映像合成制御信号によって規定される態様で、上述の映像符号化部７１３および７１４で符号化された各映像信号を合成処理して合成映像信号を得る。
【００６８】
（移動機の構成および動作）
図８は、図７の送信側の移動機と受信側の移動機との機能を併せ持つ移動機の構成を表す機能ブロック図である。既述のように、図７においては、説明の便宜上、送信側の移動機として機能する部分（送信移動機７１０として既述の部分）と受信側の移動機として機能する部分（受信側の移動機７３０として既述の部分）とを一の移動機と他の移動機との各該当部分として示したが、テレビ電話に適用される本実施の形態の移動機は、図８における如く、送信側の移動機として機能する部分および受信側の移動機として機能する部分との双方を備えている。  
【００６９】
図８において、既述の図７との対応部は同一の参照符号を付して示してある。
例えばマイクロプロセッサを主体に構成されるシステムコントローラ８１０は、該当する各機能部と信号線（バス）８１１によって結ばれて、これら各機能部を統括的に管理すると共に、自ら所定のタイミングで既述の符号化および復号化の処理を実行する復号化・復号化機能部としても作動するように構成されている。
【００７０】
即ち、各個には図７に示されたものと略同様に機能し得る、内側映像入力部７１１、外側映像入力部７１２、音声入力部７１６、映像合成態様選択部７２０、多重化部７１７、テレビ電話送受信処理部７１８（７３１）、映像分離部７３２、制御信号送受信部７１９（７３６）、音声出力部７３７、および、映像表示部７３４がバス８１１を通してシステムコントローラ８１０と結ばれている。
更に、操作者からの各種の外部操作を受付けるための操作キー或いはタッチパネルなどを含んで構成された操作部８１２がバス８１１を通してシステムコントローラ８１０と結ばれている。
【００７１】
次に、図９を併せ参照して図８の構成を有する第２の本発明の実施の形態としての移動機の動作について説明する。
図９は、図８の移動機の動作を表すシーケンス図である。尚、この動作の説明では、テレビ電話での通話を行なう場合に用いられ送信側と受信側との双方の立場を適宜に交替させつつ用いられる移動機として、何れも、図８のような構成を備えたものを適用すると仮定している。
本実施の形態に係る移動機（図８）を動作させるに当たっては、まず、内側映像入力部７１１、および、外側映像入力部７１２の各カメラで同時に撮影して取得した各映像信号（例えば「顔の映像」と「景色の映像」との映像信号）をシステムコントローラ８１０の映像符号化機能部（図７における映像符号化部７１３および７１４に相応する）に供給する（Ｓ９０１、Ｓ９０２）。
【００７２】
受信側の話者は、映像の表示態様を変更したい場合に、所望の表示態様を選択（指定）するための操作を操作部８１２に対して行う。
操作部８１２およびシステムコントローラ８１０中の図７の映像表示態様指定部７３５に相応する機能部は、操作者による外部操作に応じて映像合成態様指定信号を生成し、生成した映像合成態様指定信号を制御信号送受信部７３６に転送する（Ｓ９０３）。
【００７３】
制御信号送受信部７３６は、この映像合成態様指定信号を無線通信網を通して相手方の移動機（即ち、送信側の移動機）における制御信号送受信部７１９（図８では制御信号送受信部７３６と同じ機能ブロックで表記）に送信する（Ｓ９０４）。
送信側の移動機における制御信号送受信部７１９（７３６）は、その映像合成態様指定信号を受け取ると、映像合成態様選択部７２０にその映像合成態様指定信号を転送する（Ｓ９０５）。
【００７４】
映像合成態様選択部７２０は、制御信号送受信部７１９（７３６）から供給された映像合成態様指定信号に基づいて映像合成制御信号を生成して映像合成部７１５に供給する（Ｓ９０６）。
この映像合成制御信号は、映像表示部７３４における内側映像入力部７１１、および、外側映像入力部７１２の各カメラによる例えば「顔の映像」と「景色の映像」との映像信号をどのように合成して表示させるかに応じた映像信号の合成処理の態様を規定する。
【００７５】
尚、操作者による表示態様の選択操作は映像受信中でも受付可能であり、随時更新され得る。また、操作者からの入力がない場合は、この移動機におけるデフォルト設定が適用される。
例えば、操作者が合成パターンは上下分割、映像サイズ・位置は上側に外側映像、下側に内側映像、その比は５：５、その他処理は特につけない、というような指定が可能となる。
【００７６】
システムコントローラ８１０における、図７の映像符号化部７１３および７１４に相応する機能部では、内側映像入力部１０１、外側映像入力部１０２の各カメラによる映像データを符号化し映像合成部７１５に供給する（Ｓ９０７）。
映像合成部７１５では、システムコントローラ８１０の上述の機能部から得た符号化された映像データを、既述のように映像合成態様選択部７２０から供給される映像合成制御信号によって規定される態様の映像合成処理によって合成処理することによって一つの映像に合成する。
【００７７】
映像合成部７１５で斯く合成された合成映像信号（データ）には、更に、多重化部７１７において、音声入力部７１６で生成された例えば話者の音声に係る音声信号が多重化される送信される（Ｓ９０８）。
多重化部７１７における多重化処理では、受信した合成映像データを所定の多重化方式に従った送信データに変換する。例えば、３Ｇ−３２４Ｍの場合、H.223 Annex Bに従って変換される。
上述のようにして多重化されたデータはテレビ電話送受信処理部７１８（図８ではテレビ電話送受信処理部７３１と同じ機能ブロックで表記されている）に転送される（Ｓ９０９）。
【００７８】
テレビ電話送受信処理部７１８は、通信網を介して、送信データを受信側の移動機に送信する（Ｓ９１０）。
受信側の移動機では、テレビ電話送受信処理部７３１において、上述のように多重化されたテレビ電話データを受信する（Ｓ９１０）。
テレビ電話送受信処理部７３１で受信された上述のテレビ電話データは、音声・映像分離部７３２に転送される（Ｓ９１１）。
音声・映像分離部７３２で上述の多重化されたデータ中の音声と映像とに係る各データが分離され、更に、システムコントローラ８１０の復号化処理機能部で復号化され映像表示部７３４に供給される（Ｓ９１２）。
【００７９】
映像表示部７３４では、斯く復号化された合成映像によって、受信側操作者（話者）が操作部８１２（図７における映像表示態様指定部７３５）からの操作によって所望の通りに選択した態様で映像の表示が行なわれる。この表示に同期するようにして音声出力部７３７からは音声が出力される。
以上述べた第２の実施の形態においても、送信側の移動機の２つのカメラからの映像を合成、多重化して通信網を通してテレビ電話で相手先移動機に送信することが可能である。
【００８０】
この実施の形態では特に、受信側の移動機では、送信側の移動機で取得された内側映像入力部１１１のカメラによる映像（「顔の映像」）と外側映像入力部１１２のカメラによる映像（「景色の映像」）との表示態様を変更したい場合、操作部８１２（図７では映像表示態様指定部７３５）に対して表示態様を所望のものとするための操作を行なう。
この操作によって生成される映像合成態様指定信号を送信側の移動機に送ることにより、送信側の移動機内で、映像合成態様指定信号に対応する映像合成制御信号が生成され、斯く生成された映像合成制御信号によって規定される態様で、両カメラによる各映像信号が合成処理される。
【００８１】
従って、このように既に合成処理された形での合成映像信号が、送信側の移動機から受信側の移動機に供給されることによって、該受信側の移動機において、所望の通りの表示態様での映像の表示が行なわれることになる。
この場合、特に、送信側の話者からは受信側の話者における表示態様の選択状況は認識されないため、受信側の話者における表示態様の選択が送信側の話者の心証に影響するようなことが原理的に生じない。
【００８２】
また、受信者の自由意思に沿った形で既に合成処理された所望の表示態様が得られる合成映像信号（データ）を送信側の移動機から得て、携帯端末画面（受信側における移動機の映像表示画面）に表示することが可能となり、所望の映像に相対的に大きな表示領域を割当てる等の選択を行なって、従来のこの種の装置におけるよりも臨場感の高い映像コミュニケーションを実現することができる。
更にまた、送信側の移動機の双方のカメラで取得した各映像の全画面分のデータを全て送信する場合に比し、合成された結果としての１画面を再現するに足るだけの合成映像信号（データ）を送信側の移動機から得ればよいため、相対的に所要の通信データ量を削減することができるという効果がある。
【００８３】
（第３の実施の形態）
図１０は、本発明の第３の実施の形態を表す機能ブロック図である。図１０の実施の形態では、図７の実施の形態と対照することによってその特徴が容易に理解される。
即ち、図１０の実施の形態では、受信側の移動機の構成は、図７の実施の形態における受信側の移動機７３０と略同様の構成を有しており、各対応部には同一の参照符号が附されている。
これに対し、送信側の移動機１０１０の構成は、図７の実施の形態における送信側の移動機７１０におけるよりも簡素化されている。
【００８４】
これは、図７の実施の形態における送信側の移動機７１０の制御信号送受信部７１９、映像合成態様選択部７２０、および、映像合成部７１５の各部の機能については、無線通信網１０５０に接続されたサーバ１１００によって賄われることを前提に構成され、従って、これらサーバ１１００に委ねる各機能部に相当する構成が軽減されている。
受信側の移動機７３０の映像表示態様指定部７３５に対する受信側話者の操作によって生成された映像表示部７３４での映像の表示態様を規定する映像合成態様指定信号は、制御信号送受信部７３６から無線通信網１０５０を通して、サーバ１１００に送られるように構成されている。
【００８５】
サーバ１１００には、図７ないし図９を参照して説明したような、図７の実施の形態における送信側の移動機７１０に備えられた制御信号送受信部７１９、映像合成態様選択部７２０、および、映像合成部７１５の各部の機能に相応するデータ処理機能が備えられている。
このため、送信側の移動機１０１０では、図１の実施の形態における送信側の移動機１１０を構成する各部に相当する構成を備えている。説明の重複を避け、理解を容易にするために、図１０の送信側の移動機１０１０については、図１における１００番台の参照符号に対応させて１０００番台の符号を割当て、且つ、下２桁の数字が図１との対応部同志で一致するようにして示してある。
【００８６】
即ち、送信側の移動機１０１０は、話者を撮像視野に含み得るように配設された一の撮像手段を構成する内側映像入力部１０１１、前記一の撮像手段とは撮像視野を異にするように配設されて他の撮像手段を構成する外側映像入力部１０１２、上述の内側映像入力部１０１１、および、外側映像入力部１０１２によってそれぞれ取得される映像信号を符号化するように各対応して設けられた映像符号化部１０１３および１０１４を備えている。
【００８７】
更に、これらの映像符号化部１０１３および１０１４で符号化された各映像信号を分離可能な形に多重化して多重化映像信号を得る多重化部１０１５、この多重化部１０１５で得た多重化映像信号を相手方の移動機に無線通信網１０５０を通して送信し且つ自機が受信側の移動機として機能するときには相手方の移動機から多重化映像信号を受信するためのテレビ電話送受信処理部１０１６を備えている。
【００８８】
また、話者の声を検出するマイクロフォン等を含んで構成された音声入力部１０１７が設けられ、この音声入力部１０１７の出力である音声信号も、多重化部１０１５に供給されて多重化映像信号に多重化される。
上述のような構成を有する送信側の移動機１０１０からは、内側映像入力部１０１１および外側映像入力部１０１２の２つのカメラによる各映像信号が多重化され、更に音声も多重化された多重化映像信号がテレビ電話送受信処理部１０１６から外部の無線通信網１０５０を通してサーバ１１００に供給される。
【００８９】
既述のように、サーバ１１００は、図７の実施の形態における送信側の移動機７１０に備えられた制御信号送受信部７１９、映像合成態様選択部７２０、および、映像合成部７１５の各部の機能に相応するデータ処理機能を備えている。
図１３は、サーバ１１００の機能ブロック図である。このサーバ１１００は、図７に示された移動機における制御信号送受信部７１９の機能およびテレビ電話送受信処理部７１８（７３１）の映像データの送受信処理に係る機能を有するインターフェース部１１００ａを備え、このインターフェース部１１００ａを通して外部と既述の映像に係る信号および映像合成態様指定信号の授受を行う。
【００９０】
即ち、受信側の移動機７３０（その制御信号送受信部７３６）から無線通信網１０５０を介して供給される映像合成態様指定信号がインターフェース部１１００ａを通して図７の映像合成態様選択部７２０に相当する映像合成態様選択部７２０ａに入力される（後述するＳ１２０９に相当する伝送）。
映像合成態様指定信号を受けた映像合成態様選択部７２０ａは、この映像合成態様指定信号に対応する映像合成制御信号を生成して、図７の映像合成部７１５に相当する映像合成部７１５ａに供給する。
【００９１】
一方、送信側の移動機７１０（そのテレビ電話送受信部７１８）から無線通信網１０５０を介して供給される多重化映像信号がインターフェース部１１００ａを通して上述の映像合成部７１５ａに入力される（後述するＳ１２０６に相当する伝送）。
映像合成部７１５ａは、映像合成制御信号に基づいて所望の態様での映像を再生するための上述のような合成映像信号を生成する。
斯く生成された合成映像信号は、インターフェース部１１００ａを通して無線通信網１０５０に送出される（後述するＳ１２１０に相当する伝送）。
【００９２】
ここに所望の態様での映像とは、映像が表示されるに先立って、或いはまた、表示された映像を観察しながら、受信側の話者（操作者）が映像態様指定部７３５に対して行なった所望の映像表示態様を指定する操作に応じた態様での映像であり、図４を参照して例示したような双方の映像の合成パターン、映像サイズ・位置、および、その他処理等々に関して行なわれた選択操作の結果が反映されたものである。
既述の例では、映像表示部７３４における「顔の映像」と「景色の映像」との表示に係って所望に応じて選択された表示態様の映像が表示されることになる。
【００９３】
（移動機の構成および動作）
図１１は、図１０の送信側の移動機１０１０と受信側の移動機７３０との機能を併せ持つ移動機の構成を表す機能ブロック図である。
説明の便宜上、図１０においては、送信側の移動機として機能する部分（送信移動機１０１０として既述の部分）と受信側の移動機として機能する部分（受信側の移動機７３０として既述の部分）とを一の移動機と他の移動機との各該当部分として示したが、テレビ電話に適用される本実施の形態の移動機は、図１１における如く、送信側の移動機として機能する部分および受信側の移動機として機能する部分との双方を備えている。
【００９４】
図１１において、既述の図１０との対応部は同一の参照符号を付して示してある。
例えばマイクロプロセッサを主体に構成されるシステムコントローラ１１１０は、該当する各機能部と信号線（バス）１１１１によって結ばれて、これら各機能部を統括的に管理すると共に、自ら所定のタイミングで既述の符号化および復号化の処理を実行する符号化・復号化機能部としても作動するように構成されている。
【００９５】
即ち、各個には図１０に示されたものと略同様に機能し得る、内側映像入力部１０１１、外側映像入力部１０１２、音声入力部１０１７、多重化部１０１５、テレビ電話送受信処理部７３１（１０１６）、音声・映像分離部７３２、制御信号送受信部７３６、音声出力部７３７、および、映像表示部７３４がバス１１１１を通してシステムコントローラ１１１０と結ばれている。
更に、操作者からの各種の外部操作を受付けるための操作キー或いはタッチパネルなどを含んで構成された操作部１１１２がバス１１１１を通してシステムコントローラ１１１０と結ばれている。操作部１１１２は図７の映像表示態様指定部７３５における入力操作を受付けるための機能に対応する機能部を含む。
【００９６】
次に、図１２を併せ参照して図１１の構成を有する本発明の実施の形態としての移動機の動作について説明する。
図１２は、本発明の実施の形態としての移動機の動作を表すシーケンス図である。尚、この動作の説明では、テレビ電話での通話を行なう場合に用いられ送信側と受信側との双方の立場を適宜に交替させつつ用いられる移動機として、何れも、図１１のような構成を備えたものを適用すると仮定している。
本実施の形態に係る移動機（図１１）を動作させるに当たっては、まず、内側映像入力部１０１１、および、外側映像入力部１０１２の各カメラで同時に撮影して取得した各映像信号（例えば「顔の映像」と「景色の映像」との映像信号）をシステムコントローラ１１１０の映像符号化機能部（図１０における映像符号化部１０１３および１０１４に相応する）に供給する（Ｓ１２０１、Ｓ１２０２）。
【００９７】
システムコントローラ１１１０（その映像符号化機能）は上述のＳ１２０１、Ｓ１２０２で供給された映像信号に対しMPEG４などに準拠した所定の符号化処理を実行し、斯く符号化した映像を多重化部１０１５に供給する（Ｓ１２０３）。
内側映像入力部１０１１、および、外側映像入力部１０１２の各カメラによる例えば「顔の映像」と「景色の映像」との映像信号は多重化部１０１５で、例えば、3G‐324Ｍの場合H.223 Annex Bで多重化される。
この多重化では、内側映像入力部１０１１または外側映像入力部１０１２の何れのカメラによって撮影された映像であるのかが識別される形式で多重化される。
【００９８】
即ち、例えば、３Ｇ−３２４Ｍの場合、H.223 Annex Bに従って変換されるが、予めH.245の制御情報によって双方の移動機間でプロトコルを定義しておくことにより、図３を参照して既述の通り、動画像データ部の先頭ビットが「１」か「０」かに応じて何れのカメラによる映像かを判別できる。
斯く多重化されたデータが送信および受信の双方について所要の機能を有するテレビ電話送受信処理部１１０６（このときは送信機能）に供給される（Ｓ１２０４）。
テレビ電話送受信処理部１１０６（このときは送信機能）は、通信網を介して送信データをサーバに送信する（Ｓ１２０５）。
サーバは、通信網から上述の送信データ（テレビ電話データ）を受信する（Ｓ１２０６）。
【００９９】
一方、受信側の話者は、映像の表示態様を変更したい場合に、所望の表示態様を特定するための操作を操作部１１１２に対して行う。
操作部１１１２およびシステムコントローラ１１１０中の図１０の映像表示態様指定部７３５に相応する機能部は、操作者による外部操作に応じて映像合成態様指定信号を生成し、生成した映像合成態様指定信号を制御信号送受信部７３６に転送する（Ｓ１２０７）。
制御信号送受信部７３６は、この映像合成態様指定信号を無線通信網に送信する（Ｓ１２０８）。
【０１００】
通信網からサーバに、上述の映像合成態様指定信号が送信される（Ｓ１２０９）。
サーバは、Ｓ１２０５で受けた上述の両映像および音声に係る多重化されたデータに対し、Ｓ１２０９で受けた上述の映像合成態様指定信号に基づいて、両映像および音声に係る合成処理を実行して、映像合成態様指定信号によって規定された通りの合成映像信号（音声も多重化されているもの）を生成する。
サーバは、上述のように生成された合成映像信号を無線通信網に送信する（Ｓ１２１０）。
Ｓ１２１０で無線通信網に送出された合成映像信号は、受信側の移動機におけるテレビ電話送受信部７３１に送信される（Ｓ１２１１）。
テレビ電話送受信処理部７３１で受信された上述のテレビ電話データは、音声・映像分離部７３２に転送される（Ｓ１２１２）。
【０１０１】
音声・映像分離部７３２で上述の多重化されたデータ中の音声と映像とに係る各データが分離され、更に、システムコントローラ８１０の復号化処理機能部で復号化され映像表示部７３４に供給される（Ｓ１２１３）。
映像表示部７３４では、斯く復号化された合成映像によって、受信側操作者（話者）が操作部１１１２（図１０における映像表示態様指定部７３５）からの操作によって所望の通りに選択した態様で映像の表示が行なわれる。この表示に同期するようにして音声出力部７３７からは音声が出力される。
【０１０２】
以上、図１０ないし図１２を参照して説明した第３の実施の形態においても、送信側の移動機の２つのカメラからの映像を合成、多重化して通信網を通してテレビ電話で相手先移動機に送信することが可能である。
第３の形態では特に、受信側の移動機では、送信側の移動機で取得された内側映像入力部１０１１のカメラによる映像（「顔の映像」）と外側映像入力部１０１２のカメラによる映像（「景色の映像」）との表示態様を変更したい場合、操作部１１１２（図１０では映像表示態様指定部７３５）に対して表示態様を所望のものとするための操作を行なう。
【０１０３】
この操作によって生成される映像合成態様指定信号を無線通信網１０５０に接続されたサーバ１１００に供給し、送信側の移動機で取得されサーバに供給された既述の両カメラによる映像を、該映像合成態様指定信号によって規定される態様で合成処理し、このように既にサーバ１１００内で合成処理された形での合成映像信号が、サーバ１１００から受信側の移動機に供給されることによって、該受信側の移動機において、所望の通りの表示態様での映像の表示が行なわれることになる。
従って、送信側の移動機の双方のカメラで取得した各映像の全画面分のデータを全て無線通信網を介して受信側の移動機まで伝送する場合に比し、サーバから受信側の移動機までの区間では、サーバ内で合成された結果としての１画面を再現するに足るだけの合成映像信号（データ）を伝送すればよいため、相対的に所要の通信データ量を削減することができるという効果がある。
【０１０４】
この実施の形態においても、送信側の話者からは受信側の話者における表示態様の選択状況は認識されないため、受信側の話者における表示態様の選択が送信側の話者の心証に影響するようなことが原理的に生じ得ない。
また、受信者の自由意思に沿った形で既に合成処理された所望の表示態様が得られる合成映像信号（データ）をサーバから得て、携帯端末画面（受信側における移動機の映像表示画面）に表示することが可能となり、所望の映像に相対的に大きな表示領域を割当てる等の選択を行なって、従来のこの種の装置におけるよりも臨場感の高い映像コミュニケーションを実現することができる。
【０１０５】
（移動機における映像再生方法の発明）
なお、図１ないし図６を参照して説明したところから容易に理解されるとおり、上述の本発明思想は次のような移動機における映像再生方法の発明を構成するものである。
即ち、一または複数の話者を撮像視野に含み得るように配設された一の撮像手段（１１１）よって取得した一の映像信号と、前記一の撮像手段とは撮像視野を異にするように配設された他の撮像手段（１１２）よって取得した他の映像信号とを、分離可能な形に多重化（１１５）して多重化映像信号を得る送信側の移動機（１１０）から、通信網（１５０）を介して供給される該多重化映像信号を受信する移動機（１３０）における映像再生方法であって、
前記通信網（１５０）から該多重化映像信号を受信する多重化映像信号受信のステップと（１３１：Ｓ６０５）、前記多重化映像信号受信のステップで受信した多重化映像信号を前記一の映像信号と前記他の映像信号とに分離する信号分離のステップと（１３２：Ｓ６０６）、前記信号分離のステップで分離された前記一の映像信号と前記他の映像信号とに基づく各映像を表示する映像表示のステップと（１３４：Ｓ６０８）、前記一の映像信号と前記他の映像信号とに基づく各再生映像の前記映像表示のステップにおける表示態様を前記送信側の移動機における表示に影響を与えずに操作する映像表示操作のステップと（１３５：Ｓ６０７）、を含んでいることを特徴とする移動機における映像再生方法。
この方法においても、送信側の話者には認識されないようにしつつ、受信側話者の所望の態様での再生映像の表示を行なうことができる。
【０１０６】
以上の各実施の形態においては、図２を参照して説明したように、カメラが２台備えられる例について詳述したが、カメラ（従って、カメラを含む映像入力部とその後段の映像信号の系統）は２台（２系統）に限定されるものではなく、撮像視野を異にする更に多くのカメラを備え、それらによる映像の再生に際して、本発明の如く、受信側の移動機における表示態様を、送信側の話者には認識されずに、所望のものとなるように設定可能に構成してもよいことは勿論である。
【産業上の利用可能性】
【０１０７】
本発明は、一のカメラで撮影された送信側話者の「顔の映像」と他のカメラで撮影された該話者の前方視野の「景色の映像」との双方を受信側に送る機能を備えた移動機を用いてテレビ電話を行なうに際し、送信側の話者には認識されないようにしつつ、受信側で、所望の態様での再生映像の表示を行ない、これによって、例えば「顔の映像」を副次的に扱ったとしても、送信側の話者のプライドを傷つけたりすることなく、受信側の所望に合わせて映像を観察できるようにした移動機の実現に利用することができる。
【図面の簡単な説明】
【０１０８】
【図１】本発明の第１の実施の形態としての移動機の構成を表す機能ブロック図である。
【図２】移動機における、内側映像入力部および外側映像入力部の配置（それらのカメラの取り付け状況）を説明するための図である。
【図３】移動機における、多重化部で実行される多重化処理によって生成される動画データのフォーマットを例示する図である。
【図４】移動機における、映像表示態様指定部が保有する映像表示態様を規定する表示態様データについて説明するための図である。
【図５】図１の送信側の移動機と受信側の移動機との機能を併せ持つ移動機の機能ブロック図である。
【図６】本発明の実施の形態としての移動機の動作を表すシーケンス図である。
【図７】本発明の第２の実施の形態を表す機能ブロック図である。
【図８】図７の送信側の移動機と受信側の移動機との機能を併せ持つ移動機の構成を表す機能ブロック図である。
【図９】図８の移動機の動作を表すシーケンス図である。
【図１０】本発明の第３の実施の形態を表す機能ブロック図である。
【図１１】図１０の送信側の移動機と受信側の移動機との機能を併せ持つ移動機の構成を表す機能ブロック図である。
【図１２】本発明の実施の形態としての移動機の動作を表すシーケンス図である。
【図１３】図１０のサーバの機能ブロック図である。
【符号の説明】
【０１０９】
１１０…送信側の移動機
１１１…内側映像入力部
１１１ａ…内側映像入力部のカメラ
１１２…外側映像入力部
１１２ａ…外側映像入力部のカメラ
１１３…映像符号化部
１１４…映像符号化部
１１５…多重化部
１１６…テレビ電話送受信処理部
１１７…音声入力部
１３０…受信側の移動機
１３１…テレビ電話送受信処理部
１３２…映像分離部
１３３…復号化処理部
１３４…映像表示部
１３５…映像表示態様指定部
１３６…音声出力部
１５０…無線通信網
５１０…システムコントローラ
５１１…バス
５１２…操作部
７１０…送信側の移動機
７１１…内側映像入力部
７１２…外側映像入力部
７１３…映像符号化部
７１４…映像符号化部
７１５…映像合成部
７１５ａ…映像合成部
７１６…音声入力部
７１７…多重化部
７１８…テレビ電話送受信処理部
７１９…制御信号送受信部
７２０…映像合成態様選択部
７２０ａ…映像合成態様選択部
７３０…受信側の移動機
７３１…テレビ電話送受信処理部
７３２…音声・映像分離部
７３３…復号化処理部
７３４…映像表示部
７３５…映像表示態様指定部
７３６…制御信号送受信部
７３７…音声出力部
７５０…無線通信網
１０１０…送信側の移動機
１０１１…内側映像入力部
１０１２…外側映像入力部
１０１３…映像符号化部
１０１４…映像符号化部
１０１５…多重化部
１０１６…テレビ電話送受信処理部
１０１７…音声入力部
１０５０…無線通信網
１１００…サーバ
１１００ａ…インターフェース部
１１１０…システムコントローラ
１１１１…バス
１１１２…操作部
【図１】
2009044510.tif 000003
【図２】
2009044510.tif 000004
【図３】
2009044510.tif 000005
【図４】
2009044510.tif 000006
【図５】
2009044510.tif 000007
【図６】
2009044510.tif 000008
【図７】
2009044510.tif 000009
【図８】
2009044510.tif 000010
【図９】
2009044510.tif 000011
【図１０】
2009044510.tif 000012
【図１１】
2009044510.tif 000013
【図１２】
2009044510.tif 000014
【図１３】
2009044510.tif 000015